(57)【要約】【課題】スパークノイズのような所定時間に亘り、電流値（電圧値）が急変化するような状況であっても、直流電圧の供給を確実に停止することができる放電点灯装置を提供する。【解決手段】ノイズ検出回路６は、ヒステリシス付きコンパレータを備え、入力されたスパークノイズ重畳の電流を電圧変換して、コンパレータ（オペアンプＯＰ１）で比較して、リファレンス電圧よりも高ければＬｏｗ信号を、電圧ヒステリシスラインよりも低ければＨｉ信号をサイリスタ５に出力する。サイリスタ５は入力信号がＬｏｗならばインバータトランス回路１の一次側の実効電圧を低下させるように電源供給回路１を制御する電圧を出力する。ここで前記電圧ヒステリシスラインを低めに設定することで、スパークノイズに対してＬｏｗ状態が継続し、実効電圧が抑圧される。【選択図】図１
2007294307.tif 000002
【特許請求の範囲】
【請求項１】
直流電源と、
該直流電源から供給される直流電圧を所定周波数で高電圧の交流電圧に変換して、冷陰極管発光素子である放電点灯素子に供給するインバータトランス回路と、
インバータトランス回路の二次側回路の電流を検出する電流検出回路と、
前記二次側回路のスパークノイズを検出するノイズ検出回路と、
前記電流検出回路の検出結果と、前記ノイズ検出回路の検出結果とに基づいて動作し、前記インバータトランス回路の一次側回路に備えられたスイッチング素子の制御電圧を生成する制御電圧生成回路とを備えた、自励式の放電点灯装置において、
前記制御電圧生成回路は、前記電流検出回路および前記ノイズ検出回路の検出信号をトリガとして動作し、前記制御電圧を生成する制御信号を発生するサイリスタを備え、
前記ノイズ検出回路はヒステリシス付きコンパレータを備え、
前記の各回路が単一実装基板に実装された電子回路部品により形成され、前記実装基板に備えられたコネクタにより前記放電点灯素子と接続した放電点灯装置。
【請求項２】
直流電源と、
該直流電源から供給される直流電圧を所定周波数で高電圧の交流電圧に変換して放電点灯素子に供給するインバータトランス回路と、
インバータトランス回路の二次側回路の電流を検出する電流検出回路と、
前記二次側回路のスパークノイズを検出するノイズ検出回路と、
前記電流検出回路の検出結果と、前記ノイズ検出回路の検出結果とに基づいて動作し、前記インバータトランス回路の一次側回路に備えられたスイッチング素子の制御電圧を生成する制御電圧生成回路とを備えた、自励式の放電点灯装置において、
前記制御電圧生成回路は、前記電流検出回路および前記ノイズ検出回路の検出信号をトリガとして動作し、前記制御電圧を生成する制御信号を発生するサイリスタを備え、
前記ノイズ検出回路はヒステリシス付きコンパレータを備えた放電点灯装置。
【請求項３】
前記の各回路が単一実装基板に実装された電子回路部品により形成され、
前記実装基板に備えられたコネクタにより前記放電点灯素子と接続する請求項１に記載の放電点灯装置。
【請求項４】
前記放電点灯素子は冷陰極管発光素子である請求項２または請求項３に記載の放電点灯装置。
【発明の詳細な説明】
【技術分野】
【０００１】
この発明は、液晶テレビのバックライト等の冷陰極管を用いたバックライトに用いるインバータトランス回路を備えた放電点灯装置に関するものである。
【背景技術】
【０００２】
従来、冷陰極管等の放電点灯素子に交流高電圧を供給する装置が各種考案されており、それぞれに異常点灯等の不具合を検知する構成が開示されている（例えば、特許文献１〜３参照。）。
【０００３】
特許文献１には、インバータトランス回路の一次側回路の電流変化を磁束変化で検知し、この磁束変化に基づいて回路電流の異常を検出する方法が示されている。
【０００４】
特許文献２には、異常放電検出回路と、放電時の静電気成分によるノイズの検出回路とを備えており、異常放電検出結果から静電気成分ノイズの影響を除去した後に、一次側の制御回路に与えるものが示されている。
【０００５】
特許文献３には、二次側の負荷電流を検出して、フォトカプラを介して一次側に検出結果を出力し、負荷電流が遮断された場合には一次側への出力が停止されることに基づいて、一次側への直流電圧の供給停止を行うものが示されている。
【０００６】
また、これらとは別に、図３に示すような放電点灯装置も従来より存在する。
図３は従来の放電点灯装置の回路構成図である。
図３に示す放電点灯装置は、インバータトランス回路１、電源供給回路２、電流検出回路３、ノイズ検出回路４、サイリスタ５を備える。なお、図３の放電点灯装置については、本発明の解決すべき課題に関連するノイズ検出回路４以外の回路については詳細な説明を省略する。
【０００７】
電源供給回路２は、バックライトスイッチＢＳがＯＮ制御されると、供給電圧ＶＤに基づく直流電圧をインバータトランス回路１の一次側に供給する。インバータトランス回路１は、供給された直流電圧を高電圧の交流電圧に変換して、コネクタＣＮ１を介して冷陰極管ＣＦＬに与える。冷陰極管ＣＦＬはこの交流高電圧により点灯する。電流検出回路３は、インバータトランス回路１の二次側回路の電流を検出して、サイリスタ５に与え、サイリスタ５はこの検出電流に応じて、インバータトランス回路１の一次側回路のスイッチング素子Ｑ５，Ｑ６を制御するための信号を電源供給回路２に出力する。
【０００８】
ノイズ検出回路４は、インバータトランス回路１の二次側回路に備えられたディテクタ１１，１２の出力側に接続する抵抗器Ｒ２６、抵抗器Ｒ２６のディテクタ側を接地するコンデンサＣ１３、抵抗器Ｒ２６のディテクタ側に対向する側にベースが接続するｎｐｎ型トランジスタＱ２１、トランジスタＱ２１のベースとグランドとの間に接続された抵抗器Ｒ２７を備える。トランジスタＱ２１はエミッタ接地で、コレクタからの出力がサイリスタ５の入力信号となる。このような構造では、ノイズによりディテクタの出力電流が変化すると、この変化に応じた検出電圧がトランジスタＱ２１のコレクタから出力されてサイリスタ５に供給される。
【特許文献１】特開２００５−１６０２９８公報
【特許文献２】特開２００６−１２５３８公報
【特許文献３】特開２００５−３４６９９７公報
【発明の開示】
【発明が解決しようとする課題】
【０００９】
ところで、このような放電点灯装置は、通常単体の実装基板に、インバータトランス、抵抗器、コンデンサ、ダイオード等を半田接続等で実装することで形成される。
【００１０】
そして、この放電点灯装置では二次側回路には数百Ｖの交流電圧が発生する。このため、インバータトランスの二次側（図３の二次コイルＬ２１，Ｌ２２に相当）の実装部でトンネル半田が発生したり、その極近傍の高圧側のコンデンサ（図３のコンデンサＣ３，Ｃ５）の実装部でトンネル半田が存在するとスパークが発生して、図４に示すようなスパークノイズが発生する。また、この現象は、冷陰極管ＣＦＬと実装基板とを接続するコネクタＣＮ１に、導電性の埃や半田くずが有る場合にも発生する。
【００１１】
このようなスパークノイズは、回路破壊を招くので、スパークノイズ発生時には一次側回路への直流電圧供給を停止（抑圧）しなければならない。
【００１２】
しかしながら、特許文献１〜３の方法では、このようなスパークノイズには対応することができない。また、図３に示した従来の放電点灯装置では、時間的に電圧値が急激に変化するスパークノイズがノイズ検出回路３に入力されても、検出電圧（出力電圧）が同じように時間的に急激に変化してしまう。このため、サイリスタ５は、検出電圧の時間的な急変化に追随できず、所望とする供給直流電圧の制御を行うことができない。
【００１３】
したがって、本発明の目的は、スパークノイズのような所定時間に亘り、電流値（電圧値）が急変化するような状況であっても、直流電圧の供給を確実に停止することができる放電点灯装置を提供することにある。
【課題を解決するための手段】
【００１４】
この発明は、直流電源と、該直流電源から供給される直流電圧を所定周波数で高電圧の交流電圧に変換して放電点灯素子に供給するインバータトランス回路と、インバータトランス回路の二次側回路の電流を検出する電流検出回路と、二次側回路のスパークノイズを検出するノイズ検出回路と、電流検出回路の検出結果とノイズ検出回路の検出結果とに基づいて動作し、インバータトランス回路の一次側回路に備えられたスイッチング素子の制御電圧を生成する制御電圧生成回路とを備えた、自励式の放電点灯装置に関するものである。そして、本発明では、制御電圧生成回路は、電流検出回路およびノイズ検出回路の検出信号をトリガとして動作し、制御電圧を生成する制御信号を発生するサイリスタを備え、ノイズ検出回路はヒステリシス付きコンパレータを備えたことを特徴としている。
【００１５】
また、この発明の放電点灯装置は、各回路が単一実装基板に実装された電子回路部品により形成され、実装基板に備えられたコネクタにより放電点灯素子と接続することを特徴としている。
【００１６】
また、この発明の放電点灯装置は、放電点灯素子が冷陰極管発光素子であることを特徴としている。
【００１７】
これらの構成では、トンネル半田等によりスパークが発生すると、インバータトランス回路の二次側回路にスパークノイズが発生し、ノイズ検出回路のヒステリシス付きコンパレータに入力される。ヒステリシス付きコンパレータは、ＯＮ側の閾値電圧とＯＦＦ側の閾値電圧とが異なるコンパレータであり、図２に示すように、スパークノイズ電圧中でも高い電圧値で出力電圧がＬｏｗレベルとなり、スパークノイズ電圧中でも低い電圧値で出力電圧がＨｉレベルとなるように設定されている。このため、コンパレータ（ノイズ検出回路）から出力される検出電圧の状態変位回数が減少し、且つ一方のレベル（図２ではＬｏｗレベル）が従来よりも長く継続する。このため、サイリスタが効果的に動作し、一次側に供給される実効電圧が低下するような制御電圧が電源供給回路に与えられる。電源供給回路は、この制御電圧に基づいて、インバータトランスのスイッチ素子のＯＮ／ＯＦＦ制御信号（電圧）を生成し、インバータトランスの一次側の実効電圧が低下して、二次側交流電圧の実効値も低下する。
【発明の効果】
【００１８】
この発明によれば、所定期間継続するスパークノイズが発生しても、確実に一次側の直流電圧の実効値が抑圧されるので、二次側の交流電圧の実効値も抑圧され、実装基板の炭化、発煙、発火を確実に防止することができる。
【発明を実施するための最良の形態】
【００１９】
本発明の実施形態に係る放電点灯装置について図を参照して説明する。
図１は本実施形態の放電点灯装置の回路図であり、図２はスパークノイズ発生時のノイズ検出回路６からサイリスタ５に与えられる検出電圧の波形を示す図である。
【００２０】
放電点灯装置は、インバータトランス回路１、電源供給回路２、電流検出回路３、サイリスタ５、ノイズ検出回路６を備える。
【００２１】
電源供給回路２は、所定値の直流電圧ＶＤが供給される電源供給端子、バックライトスイッチのＯＮ／ＯＦＦを受け付けてＯＮ・ＯＦＦのトリガとなる信号を生成するバックライトスイッチＢＳ、サイリスタ５で生成された制御電圧を出力する制御電圧出力端子を備える。
【００２２】
電源供給端子は、ｐｎｐ型トランジスタＱ２のエミッタとｎｐｎ型トランジスタＱ３のコレクタとに接続している。
トランジスタＱ２のベースは抵抗器Ｒ３を介してｎｐｎ型トランジスタＱ１のコレクタに接続し、トランジスタＱ１はエミッタ接地しており、トランジスタＱ１のベースは抵抗器Ｒ１を介してバックライトスイッチに接続するととともに、抵抗器Ｒ２を介してグランドに接続している。トランジスタＱ２のベースとエミッタとは抵抗器Ｒ４で接続しており、トランジスタＱ２のコレクタは抵抗器Ｒ６を介してトランジスタＱ３のベースに接続している。トランジスタＱ３のエミッタはｎｐｎ型トランジスタＱ４のコレクタに接続している。
【００２３】
また、電源供給端子には抵抗器Ｒ５が接続し、抵抗器Ｒ５にはダイオードＤ１のアノードが接続し、ダイオードＤ１のカソードは抵抗器Ｒ８を介してグランドに接続している。このダイオードＤ１と抵抗器Ｒ８との接続点には、ダイオードＤ２のカソードが接続し、ダイオードＤ２のアノードは、ツェナーダイオードＺＤ１のアノードが接続する。ツェナーダイオードＺＤ１のカソードは、インバータトランス回路２のチョークコイルＬ１に接続するとともに、ノイズ検出回路６のオペアンプＯＰ１の正電圧入力端子に接続している。また、このツェナーダイオードＺＤ１のカソードは抵抗器Ｒ７を介してトランジスタＱ３のベースに接続するとともに、コンデンサＣ１を介してグランドに接続している。
【００２４】
トランジスタＱ４のベースには、ダイオードＤ４のカソードが接続し、ダイオードＤ４のアノードはダイオードＤ３のアノードに接続し、ダイオードＤ３のカソードは、前述のダイオードＤ１のカソードに接続している。また、トランジスタＱ４のベースには、ツェナーダイオードＺＤ２のカソードが接続し、ツェナーダイオードＺＤ２のアノードはグランドに接続している。さらに、トランジスタＱ４のベースは、サイリスタ５を構成するｐｎｐ型トランジスタＱ１１のエミッタに接続し、トランジスタＱ４のベースとコレクタとは抵抗器Ｒ９で接続している。
【００２５】
トランジスタＱ４のエミッタは、インバータトランス１のスイッチ素子（ＦＥＴ）Ｑ５のゲートに抵抗器Ｒ１０を介して接続するとともに、スイッチ素子（ＦＥＴ）Ｑ６のゲートに抵抗器Ｒ１２を介して接続する。また、トランジスタＱ４のエミッタは、電流検出回路３のｎｐｎ型トランジスタＱ７のコレクタに抵抗器Ｒ１８を介して接続するとともに、ｎｐｎ型トランジスタＱ８のコレクタに抵抗器Ｒ２１を介して接続する。
【００２６】
インバータトランス回路１のチョークコイルＬ１は、トランスコイルの一次側コイルＬ１１，Ｌ１２の接続点に接続している。
【００２７】
スイッチ素子Ｑ１、Ｑ２はソース接地しており、スイッチ素子Ｑ１のゲートは抵抗器Ｒ１１を介してグランドに接続し、スイッチ素子Ｑ２のゲートは抵抗器Ｒ１３を介してグランドに接続している。スイッチ素子Ｑ１のドレインは一次側コイルＬ１１の前記チョークコイルＬ１接続側と対向する端部に接続し、スイッチ素子Ｑ１のドレインは一次側コイルＬ１２の前記チョークコイルＬ１接続側と対向する端部に接続している。
【００２８】
トランスコイルのドライブコイルＬ１３の両端には、抵抗器Ｒ１４，Ｒ１５がそれぞれ接続しており、抵抗器Ｒ１４はスイッチ素子Ｑ１のゲートに接続し、抵抗器Ｒ１５はスイッチ素子Ｑ２のゲートに接続している。
【００２９】
トランスコイルの二次側コイルＬ２１の一方端にはコネクタＣＮ１が接続し、他方端にはダイオードＤ７のカソードが接続し、ダイオードＤ７のアノードはグランドに接続している。また、二次側コイルＬ２１の他方端にはダイオードＤ８のアノードが接続し、ダイオードＤ８のカソードにはダイオードＤ９のアノードが接続し、ダイオードＤ９のカソードは、電流検出回路３のトランジスタＱ８のベースに抵抗器Ｒ１８を介して接続している。ダイオードＤ８，Ｄ９の接続点は抵抗器Ｒ２８を介してグランドに接続し、ダイオードＤ９のカソードはコンデンサＣ７を介してグランドに接続している。
【００３０】
また、二次側コイルＬ２１には高圧側からコンデンサＣ３、Ｃ４が順に並ぶ構成の直列回路が並列に接続している。コンデンサＣ４にはダイオードＤ６が並列接続し、コンデンサＣ４，Ｃ３の接続点にダイオードＤ６のカソードが接続している。このコンデンサＣ３，Ｃ４の接続点にはダイオードＤ５のアノードが接続し、コンデンサＣ４、ダイオードＤ６，Ｄ５でディテクタ１１が構成される。
【００３１】
二次側コイルＬ２２の一方端にはコネクタＣＮ１が接続し、他方端にはダイオードＤ１２のカソードに接続し、ダイオードＤ１２のアノードはグランドに接続している。また、二次側コイルＬ２２の他方端にはダイオードＤ１３のアノードが接続し、ダイオードＤ１３のカソードには、ダイオードＤ１４のアノードが接続し、ダイオードＤ１４のカソードは、電流検出回路３のトランジスタＱ７のベースに抵抗器Ｒ１６を介して接続している。ダイオードＤ１３，Ｄ１４の接続点は抵抗器Ｒ２９を介してグランドに接続し、ダイオードＤ１４のカソードはコンデンサＣ８を介してグランドに接続している。
【００３２】
また、二次側コイルＬ２２には高圧側からコンデンサＣ５，Ｃ６が順に並ぶ構成の直列回路が並列に接続している。コンデンサＣ６には、ダイオードＤ１１が並列接続し、コンデンサＣ６，Ｃ５の接続点にダイオードＤ１１のカソードが接続している。このコンデンサＣ５，Ｃ６の接続点にはダイオードＤ１０のアノードが接続し、コンデンサＣ６、ダイオードＤ１１，Ｄ１０でディテクタ１２が構成される。
【００３３】
電流検出回路３のトランジスタＱ７のベースは、抵抗器Ｒ１６に接続するとともに、コンデンサＣ９および抵抗器Ｒ１７の並列回路を介してグランドに接続している。トランジスタＱ７はエミッタ接地であり、コレクタは抵抗器Ｒ１８を介して電源供給回路２のトランジスタＱ４のエミッタが接続するとともに、ダイオードＤ１３のアノードが接続している。
【００３４】
トランジスタＱ８のベースは、抵抗器Ｒ１９に接続するとともに、コンデンサＣ１０および抵抗器Ｒ２０の並列回路を介してグランドに接続している。トランジスタＱ８はエミッタ接地であり、コレクタは抵抗器Ｒ２１を介して電源供給回路２のトランジスタＱ４のエミッタが接続するとともに、ダイオードＤ１４のアノードが接続している。
【００３５】
ダイオードＤ１３，Ｄ１４のカソード同士は接続し、この接続点はコンデンサＣ１１を介してグランドに接続している。また、ダイオードＤ１３，Ｄ１４の接続点は、抵抗器Ｒ２２を介してツェナーダイオードＺＤ３のカソードに接続し、ツェナーダイオードＺＤ３のアノードは、サイリスタ５のｎｐｎ型トランジスタＱ１２のベースに抵抗器Ｒ２３を介して接続するとともに、コンデンサＣ１２を介してグランドに接続している。
【００３６】
サイリスタ５は、互いにベースとコレクタとが接続するトランジスタＱ１１，Ｑ１２を備える。ｐｎｐ型トランジスタＱ１１はエミッタが電源供給回路２のトランジスタＱ４のベースに接続する。トランジスタＱ１１のベースとエミッタとは抵抗器Ｒ２５を介して接続し、トランジスタＱ１１のコレクタは抵抗器Ｒ２３を介して接続するとともに、抵抗器Ｒ２４を介してグランドに接続している。ｎｐｎ型トランジスタＱ１２はエミッタ接地であり、ベースは低高域Ｒ２３を介して、電流検出回路３のツェナーダイオードＺＤ３のアノードに接続している。トランジスタＱ１１のベースとトランジスタＱ１２のコレクタの接続点は、ノイズ検出回路６のダイオードＤ１５のアノードに接続している。
【００３７】
ノイズ検出回路６は、オペアンプＯＰ１を備え、オペアンプＯＰ１の反転入力端子は、抵抗器Ｒ３５，Ｒ３０の直列回路を介してディテクタ１１のダイオードＤ５およびディテクタ１２のダイオードＤ１０に接続している。抵抗器Ｒ３０のディテクタ側はコンデンサＣ１３を介してグランドに接続し、抵抗器Ｒ３０，Ｒ３５の接続点は抵抗器Ｒ３１を介してグランドに接続している。オペアンプＯＰ１の非反転入力端子には抵抗器Ｒ３４が接続し、抵抗器Ｒ３４は抵抗器Ｒ３３、コンデンサＣ１４の並列回路を介してグランドに接続している。これら抵抗器Ｒ３３，Ｒ３４、コンデンサＣ１４の接続点は抵抗器Ｒ３２を介して、電源供給回路２のツェナーダイオードＺＤ１に接続している。オペアンプＯＰ１の負電圧入力端子は接地しており、オペアンプＯＰ１の出力端子は、ダイオードＤ１５のカソードに接続し、ダイオードＤ１５のアノードはサイリスタ５のトランジスタＱ１１のベースに接続している。また、オペアンプＯＰ１の出力端子は、抵抗器Ｒ３６を介して非反転入力端子に接続している。このような構造によりヒステリシス付きコンパレータが構成される。
【００３８】
コネクタＣＮ１には、冷陰極管ＣＦＬが接続されており、冷陰極管ＣＦＬは二次側コイルＬ２１，Ｌ２２から供給される高圧交流電圧により点灯する。
【００３９】
次に、スパークノイズ発生時の放電点灯装置の動作について説明する。
二次側コイルＬ２１，Ｌ２２およびコンデンサＣ３，Ｃ４の実装位置でのトンネル半田や、コネクタＣＮ１での埃や半田くずによるスパークが発生すると、スパークノイズが重畳した電流がディテクタ１１，１２で検出されて、ノイズ検出回路３に入力される。このスパークノイズ重畳電流は電圧変換されて、図２に示すようなスパークノイズ電圧がオペアンプＯＰ１の反転入力端子に供給される。
【００４０】
オペアンプの非反転入力端子には、図２に示すようにスパークノイズ電圧に対して所定の電位レベルであるリファレンス電圧が供給されている。このリファレンス電圧は、予め実験的に得られたスパークノイズの電圧値から適当な上限閾値電圧を設定することで得られる。
【００４１】
オペアンプＯＰ１は、定常時に所定電圧値のＨｉ信号を出力するように設定されているが、スパークノイズがリファレンス電圧を超えると、オペアンプＯＰ１は、Ｈｉ信号よりも所定電圧低い低電圧のＬｏｗ信号を生成する。
【００４２】
オペアンプＯＰ１は、前述の回路構成からヒステリシス付きコンパレータとして機能するので、抵抗器Ｒ３６と抵抗器Ｒ３４との抵抗比を所定値に設定することで、図２に示すような電圧ヒステリシスラインを設定することができる。この電圧ヒステリシスラインは、正常時の入力電圧と、実験的に得られたスパークノイズの電圧値とから適当な下限閾値電圧を設定することで得られ、抵抗器Ｒ３４，Ｒ３６の抵抗比により設定される。この際、電圧ヒステリシスラインは定常時の電圧値に近い低電圧に設定しておく。
【００４３】
スパークノイズは、前述および図２に示すように、時間的に電圧値が急激に変化する。そして、スパークノイズが電圧ヒステリシスラインを下回ると、オペアンプＯＰ１は、Ｌｏｗ信号から再びＨｉ信号に切り替わる。
【００４４】
このような動作により、スパークノイズの検出信号であるオペアンプＯＰ１の出力信号が得られるが、前述のように電圧ヒステリシスラインは定常時の電圧値に近い低電圧に設定することで、検出信号がＬｏｗ信号である状態を長くし、検出信号の状態遷移回数を減らすことができる。
【００４５】
この検出信号がサイリスタ５に入力されると、サイリスタ５は、検出信号がＨｉ信号であれば、トランジスタＱ１１がオフになり、電源供給回路１のトランジスタＱ４のベースをＨｉ状態に維持する。一方で、サイリスタ５は、検出信号がＬｏｗ信号であれば、トランジスタＱ１１がオンになり、電源供給回路１のトランジスタＱ４のベースをＬｏｗ状態に切り替える。これにより、トランジスタＱ４がオフ状態になりインバータトランス１のスイッチ素子Ｑ５，Ｑ６をオフ状態にする。この結果、インバータトランス１の一次側に供給される実効電圧を低下させる。
【００４６】
そして、前述の構成に示すように、オペアンプＯＰ１から出力される検出信号はＬｏｗ状態を長く維持し、Ｈｉ状態に切り替わりにくいので、結果的にインバータトランス１の一次側に供給される実効電圧を極低い状態まで抑圧することができる。
【００４７】
この結果、スパークノイズによる実装基板の炭化、発煙、発火を確実に防止することができる。
【図面の簡単な説明】
【００４８】
【図１】本発明の実施形態の放電点灯装置の回路図である。
【図２】スパークノイズ発生時のノイズ検出回路６からサイリスタ５に与えられる検出電圧の波形を示す図である。
【図３】従来の放電点灯装置の回路構成図である。
【図４】スパークノイズを示した概念図である。
【符号の説明】
【００４９】
１−インバータトランス回路、２−電源供給回路、３−電流検出回路、４−従来のノイズ検出回路、５−サイリスタ、６−本発明のノイズ検出回路
【図１】
2007294307.tif 000003
【図２】
2007294307.tif 000004
【図３】
2007294307.tif 000005
【図４】
2007294307.tif 000006